(57)【要約】【課題】部材点数を極力少なくして、製作費の低廉化を図った自在脚を提供する。【解決手段】支柱４の下端部が嵌合する嵌合部１１及び水平貫通孔１２を有する本体ブラケット７と、一対の立上壁部１３，１３を有する接地ベース８と、軸線Ｇが球心部を通る軸孔２２を形成した球状ピボット部１５を有し、本体ブラケット７の水平貫通孔１２内に嵌挿される自在ブラケット９と、接地ベース８の両立上壁部１３，１３に軸架される支軸１０とからなり、自在ブラケット９を本体ブラケット７の水平貫通孔１２に嵌挿した状態で、本体ブラケット７の下半部７ｂを接地ベース８の両立上壁部１３，１３間に挿入し、支軸１０を、接地ベース８の一方の立上壁部１３から自在ブラケット９の軸孔２２を貫通して他方の立上壁部１３に架け渡すことにより、本体ブラケット７を自在ブラケット９の球状ピボット部１５の周りに回動可能に取り付ける。【選択図】図２
2008231755.tif 000002
【特許請求の範囲】
【請求項１】
上半部に支柱の下端部が嵌合する嵌合部を有し且つ下半部に水平貫通孔を有する本体ブラケットと、上向きに突出する一対の立上壁部を有する接地ベースと、軸線が球心部を通る軸孔を形成した球状ピボット部を有し、本体ブラケットの水平貫通孔内に嵌挿される自在ブラケットと、接地ベースの両立上壁部に軸架される支軸とからなり、自在ブラケットを本体ブラケットの水平貫通孔に嵌挿した状態で、本体ブラケットの下半部を接地ベースの両立上壁部間に挿入し、前記支軸を、接地ベースの一方の立上壁部から自在ブラケットの軸孔を貫通して他方の立上壁部に架け渡すことにより、本体ブラケットを、自在ブラケットの球状ピボット部の周りに回動可能に取り付けてなる脚立等の支柱の自在脚。
【請求項２】
本体ブラケットの下端部と接地ベースの上面側との間に本体ブラケットを任意の姿勢に保持する圧縮バネを介装してなる請求項１に記載の脚立等の支柱の自在脚。
【請求項３】
本体ブラケットとこれの水平貫通孔に嵌挿された自在ブラケットの球状ピボット部との間に本体ブラケットを任意の姿勢に保持する圧縮バネを介装してなる請求項１又は２に記載の脚立等の支柱の自在脚。
【請求項４】
自在ブラケットの球状ピボット部には軸孔に沿った球状ピボット部の両端部に、接地ベースの立上壁部との間に介在するスペーサ用耳部を一体に突設してなる請求項１〜３の何れかに記載の脚立等の支柱の自在脚。
【発明の詳細な説明】
【技術分野】
【０００１】
本発明は、傾斜や凹凸のある地面、階段等において使用される脚立、梯子、作業台等の支柱の下端に取り付けて、脚立等を安定な状態で接地できるようにした自在脚に関するものである。
【背景技術】
【０００２】
従来の自在脚としては、例えば下記の特許文献１に記載されたものがある。この自在脚は、下向きに突出する一対の突起部を有し、支柱の下端に取り付けられる取付ブラケットと、上向きに突出する一対の立上壁部を有する接地用ベースと、取付ブラケットと接地用ベースとの間に介在される仲介部材とからなるもので、取付ブラケット下面側の一対の突起部間に挿入した仲介部材を、両突起部で支持される第１支軸によって取付ブラケットに対し第１支軸周りに回動可能に取り付けると共に、この仲介部材を接地用ベースの両立上壁部間に挿入し、第１支軸と直交する方向に延びて両立上壁部で支持される第２支軸により仲介部材を接地用ベースに対し第２支軸周りに回動可能に取り付けたものであるから、取付ブラケットが固定位置にあるとすれば、接地用ベースは、取付ブラケットに対して、第１支軸周りを例えば左右方向に所要角度回動できるし、また第２支軸周りを前後方向に所要角度回動でき、従って脚立等の使用される場所に傾斜や凹凸のある場合に接地用ベースをその傾斜面や凹凸面上にぴったりと接地させることができて、接地用ベースの接地性を向上させることができる。
【特許文献１】特開２０００−３５２２８４号公報
【発明の開示】
【発明が解決しようとする課題】
【０００３】
上記従来の自在脚は、取付ブラケット、接地ベース、仲介部材、第１支軸及び第２支軸の少なくとも５つの部材で構成されることから、構造が複雑で部材点数が多く、製作費が高くつくという問題があった。
【０００４】
本発明は、上記の課題に鑑みてなされたもので、部材点数を極力少なく、構造を簡素化して、製作費の低廉化を図った脚立等の支柱の自在脚を提供することを目的とする。
【課題を解決するための手段】
【０００５】
上記課題を解決するための手段を、後述する実施形態の参照符号を付して説明すると、本発明の請求項１に係る発明の脚立等の支柱の自在脚６は、上半部７ａに支柱４の下端部が嵌合する嵌合部１１を有し且つ下半部７ｂに水平貫通孔１２を有する本体ブラケット７と、上向きに突出する一対の立上壁部１３，１３を有する接地ベース８と、軸線Ｇが球心部Ｏを通る軸孔２２を形成した球状ピボット部１５を有し、本体ブラケット７の水平貫通孔１２内に嵌挿される自在ブラケット９と、接地ベース８の両立上壁部１３，１３に軸架される支軸１０とからなり、自在ブラケット９を本体ブラケット７の水平貫通孔１２に嵌挿した状態で、本体ブラケット７の下半部７ｂを接地ベース８の両立上壁部１３，１３間に挿入し、前記支軸１０を、接地ベース８の一方の立上壁部１３から自在ブラケット９の軸孔２２を貫通して他方の立上壁部１３に架け渡すことにより、本体ブラケット７を、自在ブラケット９の球状ピボット部１５の周りに回動可能に取り付けてなることを特徴としている。
【０００６】
請求項２は、請求項１に記載の脚立等の支柱の自在脚において、本体ブラケット７の下端部と接地ベース８の上面側との間に本体ブラケット７を任意の姿勢に保持する圧縮バネ２３を介装してなることを特徴とする。
【０００７】
請求項３は、請求項１又は２に記載の脚立等の支柱の自在脚において、本体ブラケット７とこれの水平貫通孔１２に嵌挿された自在ブラケット９の球状ピボット部１５との間に本体ブラケット７を任意の姿勢に保持する圧縮バネ２４を介装してなることを特徴とする。
【０００８】
請求項４は、請求項１〜３の何れかに記載の脚立等の支柱の自在脚において、自在ブラケット９の球状ピボット部１５には軸孔２２に沿った球状ピボット部１５の両端部に、接地ベース８の立上壁部１３との間に介在するスペーサ用耳部２１，２１を一体に突設してなることを特徴とする。
【発明の効果】
【０００９】
上記解決手段による発明の効果を、後述する実施形態の参照符号を付して説明すると、請求項１に係る発明によれば、自在脚６が、本体ブラケット７と、接地ベース８と、本体ブラケット７の水平貫通孔１２に嵌挿される球状ピボット部１５を有する自在ブラケット９と、自在ブラケット９の軸孔２２に挿通されて、接地ベース８の両立上壁部１３，１３に軸架される支軸１０との、わずか４点の構成部材からなるため、製作が容易となって、コストの低廉化を図ることができる。特に、この発明では、本体ブラケット７が自在ブラケット９の球状ピボット部１５の周りで左右及び前後方向に回動可能な構成としているため、全体構造が簡素化されて、製作が一層容易となる。
【００１０】
請求項２によれば、本体ブラケット７の下端部と接地ベース８の上面側との間に圧縮コイルバネ２３を介装しているから、本体ブラケット７を任意の姿勢に保持固定することができ、これがために自在脚６の設置時や搬送時における接地ベース８あるいは本体ブラケット７の不要な揺動を回避することができる。
【００１１】
請求項３に記載のように、本体ブラケット７と自在ブラケット９の球状ピボット部１５との間に圧縮バネ２４を介装することによっても、本体ブラケット７を任意の姿勢に保持固定することができ、それにより自在脚６の設置時や搬送時における接地ベース８あるいは本体ブラケット７の不要な揺動を回避できる。
【００１２】
請求項４によれば、自在ブラケット９の球状ピボット部１５には軸孔２２に沿った球状ピボット部１５の両端部に、接地ベース８の立上壁部１３との間に介在するスペーサ用耳部２１，２１を一体に突設しているから、球状ピボット部１５を、立上壁部１３，１３に架け渡される支軸１０の中央部に安定良く取り付けることができる。
【発明を実施するための最良の形態】
【００１３】
以下に本発明の好適な一実施形態を図面に基づいて説明すると、図１の(a) ，(b) は作業台Ｋを示し、この作業台Ｋは、作業用ステージ部Ｓの両端部に前後一対の梯子Ｈ，Ｈを回転連結金具Ｒ，Ｒを介して連結したものである。各梯子Ｈは、図１の(b) に示すように左右一対の支柱１，１間に複数の踏杆２を適当間隔に横架してなるもので、各支柱１は、支柱本体３と、この支柱本体３内にスライド可能に支持されていて、その下端から出退可能な伸縮支柱４とからなり、伸縮支柱４は、ロック手段５によって所要の出退位置で固定されるようになっている。そして、各伸縮支柱４の下端部に本発明に係る自在脚６が装着されている。
【００１４】
自在脚６について図２〜図６を参照して説明すると、図２の(a) は自在脚６の正面図、(b) は側面図である。この自在脚６は、上半部７ａに各支柱１の伸縮支柱４の下端部が嵌合する嵌合部１１を有し且つ下半部７ｂに水平貫通孔１２を有する本体ブラケット７と、上向きに突出する一対の立上壁部１３，１３を有する接地ベース８と、軸線Ｇが球心部Ｏ（図６参照）を通る軸孔１４を形成した球状ピボット部１５を有し、本体ブラケット７の水平貫通孔１２内に嵌挿される自在ブラケット９と、接地ベース８の立上壁部１３，１３に軸架されるボルト１０（支軸）及びこのボルト１０の先端部に螺合するナット１６と、本体ブラケット７の下端部と接地ベース８の上面側との間に介装するコイルバネ２３と、から構成される。
【００１５】
図３の(a) は本体ブラケット７の正面図、(b) は側面図、(c) は平面図、(d) は(a) のＡ−Ａ線断面図、(e) は(b) のＢ−Ｂ線断面図である。この本体ブラケット７は、合成樹脂で一体形成されたもので、これらの図面から分かるように、本体ブラケット７の上半部７ａには上端が開口した角筒状の嵌合部１１が形成され、その下半部７ｂは円筒状に形成されて、この円筒状部の内側に水平貫通孔１２が形成され、この水平貫通孔１２は、自在ブラケット９の球状ピボット部１５の外径と実質的に同じ内径に形成されていると共に、両端部１２ａ，１２ａが夫々拡開テーパ状に形成されている。また上半部７ａの左右側壁にはボルト挿通孔又はリベット孔１７が設けてある。
【００１６】
図４の(a) は接地ベース８の正面図、(b) は平面図であり、図５の(a) は接地ベース８の側面図、(b) は図４の(a) のＣ−Ｃ線断面図、(c) は底面図である。この接地ベース８も、本体ブラケット７と同じ合成樹脂で一体形成されたもので、円盤状のベース本体１８と、この円盤状ベース本体１８の上面側両端部に上向きに突出する一対の立上壁部１３，１３とからなり、立上壁部１３，１３には軸挿通孔１９，１９が対向位置に貫設されている。またベース本体１８の上面側中央部にはバネ嵌合孔２０が開口形成されている。またベース本体１８の裏面には、滑り止めとしての凸状部１８ａ，１８ｂが環状に突設されている。
【００１７】
自在ブラケット９は、図６から分かるように、本体ブラケット７の水平貫通孔１２に嵌挿される球状ピボット部１５と、この球状ピボット部１５の両端部に一体に突設されたスペーサ用耳部２１，２１とからなるもので、本体ブラケット７や接地ベース８と同様な合成樹脂によって一体形成されている。球状ピボット部１５及びスペーサ用耳部２１，２１には、軸線Ｇが球状ピボット部１５の球心部Ｏ及びスペーサ用耳部２１の中心を通る軸孔２２が貫通形成されている。尚、スペーサ用耳部２１，２１は、図２の(a) に示すように自在ブラケット９を本体ブラケット７の水平貫通孔１２に嵌挿させた時にこの水平貫通孔１２の両端から突出し、接地ベース８の立上壁部１３との間の空間部を埋めるスペーサの役割を果たすようになっている。
【００１８】
上記のような自在脚６の構成部材である本体ブラケット７、接地ベース８、自在ブラケット９及びボルト１０（支軸）を組み立てるには、図６に示すように、先ず、自在ブラケット９を本体ブラケット７の下半部７ｂにある水平貫通孔１２に嵌挿し、球状ピボット部１５を水平貫通孔１２の中央部に配置して、スペーサ用耳部２１，２１を水平貫通孔１２の両端から夫々突出させた状態とし、また接地ベース８の上面側中央部にあるバネ嵌合孔２０に圧縮コイルバネ２３を図示のように嵌合させておく。
【００１９】
この様な状態から、本体ブラケット７の下半部７ｂ側を、接地ベース８の上面側両端部に突出している両立上壁部１３、１３の間に挿入し、本体ブラケット７の下端面で接地ベース８上に突出しているコイルバネ２３を圧縮した状態とし、そして支軸としてのボルト１０を、一方の立上壁部１３の軸挿通孔１９から自在ブラケット９の軸孔２２に挿通し、他方の立上壁部１３の軸挿通孔１９より突出させて、その突出端部にナット１６を螺合し、締め付けることによって、図２の(a) ，(b) に示すような自在脚６に組み立てることができる。
【００２０】
上記のように組み立てた自在脚６を図１に示すような作業台Ｋの各支柱１の伸縮支柱４の下端部に取り付ける。この取付けにあたっては、本体ブラケット７の上半部７ａに設けた嵌合部１１を伸縮支柱４の下端部に嵌合させ、本体ブラケット７側のボルト挿通孔又はリベット孔１７を利用してボルト止め又はリベット止めすることにより、自在脚６を伸縮支柱４の下端部に取り付け固定する。
【００２１】
この自在脚６によれば、本体ブラケット７は、下半部７ｂの水平貫通孔１２に嵌挿された自在ブラケット９の球状ピボット部１５の周りに、図２の(a)の正面図に実線で示す鉛直姿勢と仮想線で示す傾斜姿勢（図には右方向へ２５°傾斜した姿勢を示す）との間で左右方向に回動することができると共に、球状ピボット部１５の周りに図２の(b) の側面図に実線で示す鉛直姿勢と仮想線で示す傾斜姿勢（図には前方又は後方へ約８０°傾斜した姿勢を示す）との間で前後方向に回動することができる。
【００２２】
要するに、この実施形態の自在脚６によれば、本体ブラケット７が固定位置にあるとした場合、接地ベース８は、固定位置にある本体ブラケット７に対し、球状ピボット部１５の周りを左右方向に約５０°の範囲で回動可能となると共に、同じ球状ピボット部１５の周りを前後方向に約１６０°の範囲で回動可能となる。
【００２３】
また、この実施形態の自在脚６にあっては、本体ブラケット７の下端部と接地ベース８の上面側との間に圧縮コイルバネ２３を介装しているから、本体ブラケット７を任意の姿勢に保持固定することができ、これがために自在脚６の設置時や搬送時における接地ベース８あるいは本体ブラケット７の不要な揺動を回避することができる。
【００２４】
そして、この自在脚６の最大の特徴は、自在脚６が、本体ブラケット７と、接地ベース８と、本体ブラケット７の水平貫通孔１２に嵌挿される球状ピボット部１５を有する自在ブラケット９と、自在ブラケット９の軸孔２２に挿通されて、接地ベース８の両立上壁部１３，１３に軸架される支軸１０とのわずか４点の構成部材からなるため、製作が容易となってコストの低廉化を図ることができ、そしてまた本体ブラケット７が自在ブラケット９の球状ピボット部１５の周りで左右及び前後方向に回動可能な構成としているために、全体構造が簡素化されて、製作が一層容易となる。
【００２５】
以上説明したような構成の自在脚６を梯子Ｈの伸縮支柱４に装着した作業台Ｋの使用において、図１の(a) に示すように前後に傾斜した地面Ｇ１に作業台Ｋをその作業用ステージ部Ｓが平行を保つように設置する場合には、図示のように一方（図の右方）の梯子Ｈ側の自在脚６を地面Ｇ１に接地させ、他方（図の左方）の梯子Ｈ側の支柱１を高さ調整した上でその自在脚６を地面Ｇ１に接地させる。そして、各自在脚６の接地ベース８を、伸縮支柱４に取り付けられた本体ブラケット７に対し前後に適宜回動して傾斜地面Ｇ１に沿わせるようにする。これにより作業台Ｋを傾斜地面Ｇ１に安定状態で設置することができる。
【００２６】
図１の(b) は同じ作業台Ｋを左右に傾斜した地面Ｇ２に設置する場合を示したもので、各梯子Ｈにおける一方（図の左方）の支柱１側の自在脚６を地面Ｇ２に接地させ、他方（図の右方）の支柱１を高さ調整した上でその自在脚６を地面Ｇ２に接地させる。そして、各自在脚６の接地ベース８を本体ブラケット７に対し左右に適宜回動して傾斜地面Ｇ２に沿わせるようにすることによって、作業台Ｋを傾斜地面Ｇ２に安定状態で設置することができる。
【００２７】
図２〜図６に示す実施形態の自在脚６では、本体ブラケット７を任意の姿勢に保持する圧縮バネ２３を、本体ブラケット７の下端部と接地ベース８の上面側との間に介装しているが、図７及び図８は、本体ブラケット７とこれの水平貫通孔１２に嵌挿される自在ブラケット９の球状ピボット部１５との間に、本体ブラケット７を任意の姿勢に保持する圧縮バネ２４を介装した実施形態を示す。
【００２８】
即ち、図７及び図８は、本体ブラケット７と自在ブラケット９の球状ピボット部１５との間に圧縮バネ２４を介装する場合の自在脚６の組立方法を示したもので、先ず、図７の(a) に示すように、角筒状体からなる伸縮支柱４の下端部にその下方より、底板部２５ａと両側板部２５ｂ，２５ｂとからなるコ字枠状のバネストッパー２５を挿入して、底板部２５ａが伸縮支柱４の下端面に添った位置で、ブラインドリベット２６により、このバネストッパー２５を伸縮支柱４に固定する。一方、本体ブラケット７の上半部７ａに設けてある嵌合部１１よりその下方にあるバネ挿入部２７に圧縮バネ２４を挿入する。そして、図７の(b) に示すように、伸縮支柱４の下端部を本体ブラケット７の嵌合部１１に嵌合することにより、伸縮支柱４の下端部に挿入したバネストッパー２５の底板部２５ａでバネ２４を圧縮して球状ピボット部１５に押し付けた状態とする。尚、図７の(a) には、バネストッパー２５の一部分のみが伸縮支柱４の下端部に挿入した状態を示している。
【００２９】
それから、図８の(a) に示すように、本体ブラケット７の上半部７ａの左右側壁に設けてあるリベット孔１７より伸縮支柱４の下端部に設けてあるリベット孔（図示省略）にブラインドリベット２８を挿入して、本体ブラケット７を伸縮支柱４に固定すれば、同図の(b) に示すように、伸縮支柱４の下端部に自在脚６が取り付けられると共に、本体ブラケット７と自在ブラケット９の球状ピボット部１５との間に圧縮バネ２４が介装されることになる。図８の(c) は圧縮バネ２４によって本体ブラケット７を任意の姿勢に保持固定できる状態を示す。
【図面の簡単な説明】
【００３０】
【図１】(a) 及び(b) は本発明に係る自在脚を備えた作業台の使用状態を示す側面図である。
【図２】図２の(a) は自在脚の正面図、(b) は側面図である。
【図３】(a) は本体ブラケットの正面図、(b) は側面図、(c) は平面図、(d) は(a) のＡ−Ａ線断面図、(e) は(b) のＢ−Ｂ線断面図である。
【図４】(a) は接地ベースの正面図、(b) は平面図である。
【図５】(a) は接地ベースの側面図、(b) は図４の(a) のＣ−Ｃ線断面図、(c) は底面図である。
【図６】本発明に係る自在脚の分解斜視図である。
【図７】(a) 及び(b)は本体ブラケットと自在ブラケットの球状ピボット部との間にバネを介装する場合の自在脚の組立方法を示す夫々一部断面正面図である。
【図８】(a) は同上の自在脚の組立の最終段階を示す一部断面正面図、(b) は同上の自在脚の組立を終わった状態の正面図、(c) はバネによって本体ブラケットを任意の姿勢に保持できる状態を示す側面図である。
【符号の説明】
【００３１】
６            自在脚
７            本体ブラケット
８            接地ベース
９            自在ブラケット
１０          ボルト（支軸）
１１          嵌合部
１２          水平貫通孔
１３          立上壁部
１５          球状ピボット部
２２          軸孔
２３，２４    圧縮バネ
２５          バネストッパー
【図１】
2008231755.tif 000003
【図２】
2008231755.tif 000004
【図３】
2008231755.tif 000005
【図４】
2008231755.tif 000006
【図５】
2008231755.tif 000007
【図６】
2008231755.tif 000008
【図７】
2008231755.tif 000009
【図８】
2008231755.tif 000010